(57)【特許請求の範囲】
【請求項１】
画像データを照射データに処理する処理回路及び前記処理回路から前記照射データが出力される複数のコネクタが設けられた基板と、
第１方向に延び、前記コネクタに接続されるハーネスを介して伝達される前記照射データに基づいて前記第１方向に沿って走査される光を照射する複数の照射体と、を備え、
前記複数の照射体は、前記第１方向と直交する第２方向に並んで配置されているとともに、
前記基板は、前記第１方向と平行に配置されており、前記コネクタの１つは、前記コネクタの他の少なくとも１つに対して前記第１方向逆側に配置されている画像形成装置。
【請求項２】
請求項１に記載の画像形成装置であり、
前記基板は、前記第２方向と平行に配置されており、
前記照射体は、前記第１方向の一端に前記ハーネスと接続する接続部を有しており、
前記接続部が前記第１方向の一方側に配置された第１照射体は、前記コネクタのうちの前記第１方向の一方側に配置された第１コネクタに接続され、
前記接続部が前記第１方向の他方側に配置された第２照射体は、前記コネクタのうちの前記第１方向の他方側に配置された第２コネクタに接続される画像形成装置。
【請求項３】
請求項２に記載の画像形成装置であり、
前記第１照射体と前記第２照射体は、前記第２方向において前記第１照射体の隣に前記第２照射体が配置され、前記第２照射体の隣に前記第１照射体が配置されるように交互に配置されており、
前記第２方向に隣り合う照射体に対応するコネクタ同士は、前記基板の前記第１方向逆側に配置されている画像形成装置。
【請求項４】
請求項１ないし請求項３のいずれか一項に記載の画像形成装置であり、
前記コネクタと前記処理回路は、前記コネクタと前記処理回路との間の距離が全て等しく配置されている画像形成装置。
【請求項５】
請求項４に記載の画像形成装置であり、
前記処理回路は、前記基板の前記第１方向中央に配置されている画像形成装置。
【請求項６】
請求項１ないし請求項５のいずれか一項に記載の画像形成装置であり、
前記処理回路は、制御回路から出力される画像データを用いて生成した前記照射データを前記照射体に出力する画像形成装置。
【請求項７】
請求項１ないし請求項６のいずれか一項に記載の画像形成装置であり、
複数の感光体を備えており、
前記照射体は、前記感光体に光を照射する画像形成装置。
【請求項８】
請求項７に記載の画像形成装置であり、
４色の画像を形成する４つの前記感光体に光を照射する４つの前記照射体を備えている画像形成装置。
【請求項９】
請求項２に記載の画像形成装置であり、
前記処理回路に前記画像データを出力する制御回路を備えており、
前記処理回路は、前記制御回路から出力される前記画像データを用いて前記照射データを生成するとともに、前記制御回路から出力される前記画像データの順番に従って前記照射データを前記照射体に出力しており、
前記照射体は、前記処理回路から出力される前記照射データの順番に従って、前記接続部に対して一定向きの順番に光を照射しており、
前記制御回路は、前記第１照射体を照射させるための前記画像データと、前記第２照射体を照射させるための前記画像データと、で順番を変える画像形成装置。
【請求項１０】
請求項９に記載の画像形成装置であり、
前記画像データには、伝達される前記照射体を示す照射体情報が含まれており、
前記制御回路は、前記照射体情報に基づいて前記画像データの順番を変える画像形成装置。
【発明の詳細な説明】
【技術分野】
【０００１】
本発明は、回路基板を含めた装置内の配線技術に関する。
【背景技術】
【０００２】
例えば、特許文献１には、シェーディング補正等の画像処理が施された照射データをコネクタに接続されるハーネスを介して照射体に出力する画像形成装置が開示されている。照射体は照射データに基づいて感光体に光を照射し、感光体は照射体から照射された光に基づいてシート等に画像を形成する。
【先行技術文献】
【特許文献】
【０００３】
【特許文献１】特開２００６−７６１４９号公報
【発明の概要】
【発明が解決しようとする課題】
【０００４】
このような画像形成装置では、画像処理を施す処理回路とコネクタが同一基板上に配置されることが多い。そのため、例えば各色の照射体に対応するハーネスを接続するための複数のコネクタが同一基板上に設けられる場合、処理回路とコネクタ間の配線が複雑化する虞がある。このように、処理回路と複数のコネクタが同一基板上に配置されている場合、処理回路から照射体に至る配線（基板上の配線及びハーネス）が複雑化する虞がある。
【０００５】
本明細書では、処理回路から照射体に至る配線を効率化する技術を提供することを目的とする。
【課題を解決するための手段】
【０００６】
本明細書によって開示される画像形成装置は、画像データを照射データに処理する処理回路及び前記処理回路から前記照射データが出力される複数のコネクタが設けられた基板と、第１方向に延び、前記コネクタに接続されるハーネスを介して伝達される前記照射データに基づいて前記第１方向に沿って走査される光を照射する複数の照射体と、を備え、前記基板は、前記第１方向と平行に配置されており、前記コネクタの１つは、前記コネクタの他の少なくとも１つに対して前記第１方向逆側に配置されている。
【０００７】
また、上記の画像形成装置では、前記複数の照射体は、前記第１方向と直交する第２方向に並んで配置されているとともに、前記基板は、前記第２方向と平行に配置されており、前記照射体は、前記第１方向の一端に前記ハーネスと接続する接続部を有しており、前記接続部が前記第１方向の一方側に配置された第１照射体は、前記コネクタのうちの前記第１方向の一方側に配置された第１コネクタに接続され、前記接続部が前記第１方向の他方側に配置された第２照射体は、前記コネクタのうちの前記第１方向の他方側に配置された第２コネクタに接続されていても良い。
【０００８】
また、上記の画像形成装置では、前記第１照射体と前記第２照射体は、前記第２方向において前記第１照射体の隣に前記第２照射体が配置され、前記第２照射体の隣に前記第１照射体が配置されるように交互に配置されており、前記第２方向に隣り合うコネクタは、前記基板の前記第１方向逆側に配置されていても良い。
【０００９】
また、上記の画像形成装置では、前記コネクタと前記処理回路は、前記コネクタと前記処理回路との間の距離が全て等しく配置されていても良い。
【００１０】
また、上記の画像形成装置では、前記処理回路は、前記基板の前記第１方向中央に配置されていても良い。
【００１１】
また、上記の画像形成装置では、前記処理回路は、制御回路から出力される画像データを用いて生成した前記照射データを前記照射体に出力しても良い。
【００１２】
また、上記の画像形成装置では、複数の感光体を備えており、前記照射体は、前記感光体に光を照射しても良い。
【００１３】
また、上記の画像形成装置では、４色の画像を形成する４つの前記感光体に光を照射する４つの前記照射体を備えていても良い。
【００１４】
また、上記の画像形成装置では、前記処理回路に前記画像データを出力する制御回路を備えても良い。この場合、前記処理回路は、前記制御回路から出力される前記画像データを用いて前記照射データを生成するとともに、前記制御回路から出力される前記画像データの順番に従って前記照射データを前記照射体に出力しており、前記照射体は、前記処理回路から出力される前記照射データの順番に従って、前記照射体を前記接続部に対して一定向きに光を照射しており、前記制御回路は、前記第１照射体を照射させるための前記画像データと、前記第２照射体を照射させるための前記画像データと、で順番を変えることが好ましい。
【００１５】
また、上記の画像形成装置では、前記画像データに、伝達される前記照射体を示す照射体情報が含まれており、前記制御回路は、前記照射体情報に基づいて前記画像データの順番を変えても良い。
【発明の効果】
【００１６】
本明細書によって開示される画像形成装置では、コネクタを基板の第１方向両側に配置することで、全てのコネクタを第一方向片側に配置する場合に比べて、基板におけるコネクタ間の距離を長くすることができ、基板において処理回路とコネクタの間の配線を効率良く配置することができる。
【図面の簡単な説明】
【００１７】
【図１】本実施形態におけるプリンタ１０の概略構成を示す側断面図
【図２】本実施形態におけるシステムの概略構成を示すブロック図
【図３】ＬＥＤ制御基板４０の概略構成を示す図
【図４】ＬＥＤアレイ４４の照射面４４Ａの概略構成を示す拡大図
【図５】メインＡＳＩＣ６２の送信処理を示すフローチャート
【図６】別実施形態におけるプリンタ１０の概略構成を示す側断面図
【発明を実施するための形態】
【００１８】
＜実施形態＞
本実施形態を、図１ないし図５を用いて説明する。
【００１９】
１．プリンタの機械的構成
図１は、本発明の画像形成装置の一例であるプリンタ１０の断面図である。このプリンタ１０は、ブラック、シアン、マゼンタ、イエローの各色に対応する４つの感光体ドラム（感光体の一例）４６を備えた直接転写タンデム型のカラーレーザプリンタである。なお、以下の説明において、図１における右側をプリンタ１０の前方とし、図１における左側をプリンタ１０の後方とする。また、プリンタ１０の前後方向（第２方向の一例）に直交する図１の紙面垂直方向を、プリンタ１０の左右方向（第１方向の一例）とし、図１における紙面垂直上方をプリンタ１０の右側とし、図１における紙面垂直下方をプリンタ１０の左側とする。
【００２０】
プリンタ１０は、本体ケーシング１２の下部に前方へ引き出し可能に装着された給紙トレイ１４を備えている。給紙トレイ１４は、薄皿状をなし、その内側に画像を形成するためのシート材を積載可能となっている。また、給紙トレイ１４の底面には、シート材の前端側を持ち上げるように傾動可能な押圧板（図示せず）が設けられている。
【００２１】
シート材は、ユーザによって給紙トレイ１４にセットされ、本体ケーシング１２内に格納されると、給紙トレイ１４内に配置された押圧板の上昇動作によってピックアップローラ２０に押圧される。シート材は、ピックアップローラ２０の回転によって、搬送ローラ２２及びレジストローラ２４に搬送される。シート材は、レジストローラ２４によって斜行補正が行われた後に、画像形成部３０へと搬送される。
【００２２】
画像形成部３０は、ベルトユニット２６と画像形成ユニット２８を含む。ベルトユニット２６は、一対の支持ローラ３２、３４と、ベルト３６とを含んで構成されている。ベルト３６は、支持ローラ３２、３４の間に架設されており、リング状をしている。支持ローラ３２、３４は、その軸方向がプリンタ１０の左右方向と平行となるように配置されている。支持ローラ３２、３４は、図示されていないモータによって図１の反時計回りに回転し、それに伴ってベルト３６及びベルト３６上に搬送されたシート材が移動する。
【００２３】
ベルト３６の内側には、後述する各感光体ドラム４６と対向配置される４つの転写ローラ３８が前後方向に一定間隔で並んで設けられ、４つの転写ローラ３８は、対応する感光体ドラム４６との間にベルト１６を挟んだ状態に配置されている。転写ローラ１８は、反時計回りに回転するベルト１６によって、図１の反時計回り方向に回転駆動され、また、対応する感光体ドラム４６を用いた転写時には、転写バイアスが印加される。
【００２４】
ベルトユニット２６の上側には、画像形成ユニット２８が設けられている。画像形成ユニット２８は、ＬＥＤ制御基板（基板の一例）４０とＬＥＤアレイ（照射体の一例）４４と感光ドラム４６と現像カートリッジ４８とを含んで構成されている。画像形成ユニット２８は、４色のトナーに対応した４つの感光ドラム４６と４つの現像カートリッジ４８と４つのＬＥＤアレイ４４を含んでいる。感光ドラム４６は、その軸方向がプリンタ１０の左右方向と平行となるように配置されているとともに、前後方向に並んで配置されている。現像カートリッジ４８内には、対応する感光ドラム４６に供給される各色のトナーが充填されている。
【００２５】
各感光ドラム４６の上方には、対応するＬＥＤアレイ４４が配置されている。図３に示すように、ＬＥＤアレイ４４は棒形状をしており、その軸方向Ｘがプリンタ１０の左右方向と平行に配置されているとともに、前後方向に並んで配置されている。ここで、「平行」とは、対象となるＬＥＤアレイ４４の軸方向Ｘが基準となるプリンタ１０の左右方向に対して、基準角度範囲内にあることを意味している。ＬＥＤアレイ４４には、その軸方向Ｘの一端にＦＦＣ（ハーネスの一例）４２に接続するための接続部５４が設けられている。尚、ＦＦＣ４２は、ＬＥＤアレイ４４と一体に形成されていてもよければ、接続部５４においてＬＥＤアレイ４４に接続されていてもよい。
【００２６】
図１に示すように、ＬＥＤアレイ４４は光を照射する照射面４４Ａを有しており、照射面４４Ａが感光ドラム４６に対向するように配置されている。つまり、ＬＥＤアレイ４４は、照射面４４Ａからの光を感光ドラム４６に照射するように配置されている。図４に、照射面４４Ａから見たＬＥＤアレイ４４の拡大図を示す。ＬＥＤアレイ４４の照射面４４Ａには、複数のＬＥＤ素子５６が軸方向Ｘに並んで配置されている。より詳細には、ＬＥＤ素子５４は、軸方向に２列に配置されており、軸方向Ｘの中央部において軸方向Ｘに直交する方向に重複して配置されていないものの、軸方向Ｘの端部において軸方向Ｘに直交する方向に重複して配置されている。ＬＥＤアレイ４４は、軸方向Ｘに並んだＬＥＤ素子５６を軸方向Ｘに沿って走査させて光を照射さする。すなわち、軸方向Ｘ（つまり、プリンタ１０の左右方向）が、ＬＥＤアレイ４４の走査方向となる。
【００２７】
ＬＥＤアレイ４４は、上方に配置されたＬＥＤ制御基板４０とＦＦＣ４２により接続されている。ＬＥＤ制御基板４０は、平面形状をしており、プリンタ１０の前後方向及び左右方向と平行に配置されており、前後方向に並んで配置されるＬＥＤアレイ４４に対向して配置される。ＬＥＤアレイ４４は、ＦＦＣ４２を介してＬＥＤ制御基板４０から伝達される照射データに基づいて点灯し、感光ドラム４６に光を照射する。その後、現像カートリッジ４８から感光ドラム４６にトナーが供給される。これによって、感光ドラム４６の表面に形成すべき画像に対応したトナー像が形成される。
【００２８】
ベルト３６と共に移動するシート材が、感光ドラム４６と転写ローラ３８との間の転写位置を通過する際に、感光ドラム４６の表面に形成されたトナー像は、転写ローラ３８に印加された転写バイアスによってシート材１６上に転写され、シート材１６上に画像が形成される。ベルト３６の移動に伴って、シート材１６には各色の画像が連続して形成される。シート材１６上に形成された画像は、定着器５０に送られて定着され、その後、搬送ローラ５２によってシート材が本体ケーシング１２の上部に設けられた排紙トレイ５８へと搬送される。
【００２９】
（ＬＥＤアレイ及びＬＥＤ制御基板の構成）
図３は、プリンタ１０内部を上面視した上面図である。プリンタ１０の内部上方には、ＬＥＤアレイ４４が配置されており、その上方にＬＥＤ制御基板４０が配置されている。ＬＥＤアレイ４４Ｙ、４４Ｍ、４４Ｃ、４４Ｋは、プリンタ１０の前方から後方に向かってこの順で配置されており、ＬＥＤアレイ４４Ｙ、４４Ｃは、接続部５４が右側に配置されている（第１照射体の一例）。また、ＬＥＤアレイ４４Ｍ、４４Ｋは、接続部５４が左側に配置されている（第２照射体の一例）。つまり、プリンタ１０では、接続部５４が右側に配置されたＬＥＤアレイ４４と、接続部５４が左側に配置されたＬＥＤアレイ４４が、プリンタ１０の前後方向に交互に配置されている。
【００３０】
ＬＥＤ制御基板４０には、ＬＥＤアレイ４４と対向する下面４０ＡにＬＥＤ制御ＡＳＩＣ（ＬＥＤ制御用集積回路：処理回路の一例）７４、コネクタ７８等が実装されている。つまり、ＬＥＤ制御基板４０の下面４０Ａが、ＬＥＤ制御ＡＳＩＣ７４、コネクタ７８等の電子部品が実装されるＬＥＤ制御基板４０の実装面である。なお、以下の説明において、ＬＥＤ制御基板４０及びＬＥＤアレイ４４を、プリンタ１０に実装された状態におけるＬＥＤ制御基板４０及びＬＥＤアレイ４４の前後方向及び左右方向を用いて示す。
【００３１】
ＬＥＤ制御ＡＳＩＣ７４は、ＬＥＤ制御基板４０の中央、即ちＬＥＤ制御基板４０の前後方向及び左右方向の中央に配置されている。ここで、「中央に配置」とは、ＬＥＤ制御ＡＳＩＣ７４がＬＥＤ制御基板４０の各方向において、ＬＥＤ制御基板４０の面積を２等分する中心線と重なる位置に配されていることを意味する。コネクタ７８Ｙ、７８Ｍ、７８Ｃ、７８Ｋは、ＬＥＤアレイ４４Ｙ、４４Ｍ、４４Ｃ、４４Ｋに対応させて、ＬＥＤ制御基板４０にプリンタ１０の前方から後方に向かってこの順で配置されている。また、コネクタ７８Ｙ、７８ＣはＬＥＤ制御基板４０の右側に配置されており（第１コネクタの一例）、コネクタ７８Ｍ、７８ＫはＬＥＤ制御基板４０の左側に配置されている（第２コネクタの一例）。つまり、コネクタ７８Ｙ、７８Ｍ、７８Ｃ、７８Ｋは、ＬＥＤ制御基板４０において、前後方向に隣り合うものが、ＬＥＤ制御基板４０の左右方向逆側に配置される。すなわち、コネクタ７８Ｙ、７８Ｍ、７８Ｃ、７８Ｋは、ＬＥＤ制御基板４０において、前後方向に交互に配置されている。なお、「左右方向逆側に配置」とは、ＬＥＤ制御基板４０の左右方向の中心線を基準として、この中心線に対して左右方向の逆側に配置することを意味する。
【００３２】
コネクタ７８Ｙ、７８Ｃは、接続部５４が右側に配置されたＬＥＤアレイ４４Ｙ、４４Ｃにそれぞれ接続されている。そのため、ＬＥＤアレイ４４Ｙ、４４Ｃとコネクタ７８Ｙ、７８Ｃを接続するＦＦＣ４２は、プリンタ１０の右側に引き回される。また、コネクタ７８Ｍ、７８Ｋは、接続部５４が左側に配置されたＬＥＤアレイ４４Ｍ、４４Ｋにそれぞれ接続されている。そのため、ＬＥＤアレイ４４Ｍ、４４Ｋとコネクタ７８Ｍ、７８Ｋを接続するＦＦＣ４２は、プリンタ１０の左側に引き回される。
【００３３】
ＬＥＤ制御基板４０では、ＬＥＤ制御ＡＳＩＣ７４と各コネクタ７８の物理的距離Ｄが等しくなるように、各コネクタ７８が配置されている。また、ＬＥＤ制御基板４０では、ＬＥＤ制御ＡＳＩＣ７４と各コネクタ７８を接続する配線パターン７６の配線距離が等しく設定されている。
【００３４】
２．プリンタの電気的構成
図２は、プリンタ１０のシステム構成例を示すブロック図である。プリンタ１０のシステムは、メイン基板６０とＬＥＤ制御基板４０を含んで構成されている。メイン基板６０は、メインＡＳＩＣ（特定用途向け集積回路：制御回路の一例）６２、ＲＯＭ６４、ＲＡＭ６８、ネットワークインターフェイス７０等を備えている。
ＲＯＭ６４には、複数のプログラムが記憶されており、メインＡＳＩＣ６２はバス６６を介してＲＯＭ６４から読み出したプログラムに従ってプリンタ１０を制御するとともに、パーソナルコンピュータ（以下「ＰＣ」という）１００等との通信を制御する。
【００３５】
ネットワークインターフェイス７０は、例えばＬＡＮ（Ｌｏｃａｌ  Ａｒｅａ  Ｎｅｔｗｏｒｋ）によるイントラネット内の通信回線１０２に接続されている。この通信回線１０２にはＰＣ１００が接続されており、プリンタ１０は、ネットワークインターフェイス７０を介して画像データを含む印刷データを受け取ることができる。メインＡＳＩＣ６２は、配線７２を介して印刷データを受け取ると、バス６６を介してＲＡＭ６８に一時的に画像データを記憶し、画像データに基づいた画像をシート材に形成する際に、画像データをＬＥＤ制御ＡＳＩＣ７４に出力する。
【００３６】
画像データには、ＬＥＤアレイ４４に含まれる複数のＬＥＤ素子５６に対応した複数の単位画像データが含まれている。メインＡＳＩＣ６２は、画像データをＬＥＤ制御ＡＳＩＣ７４に出力する際に、ＲＡＭ６８から所定の順番で単位画像データを読み出し、この順番に並んだ画像データをＬＥＤ制御ＡＳＩＣ７４に出力する。
【００３７】
ＬＥＤ制御ＡＳＩＣ７４は、メインＡＳＩＣ６２から出力される画像データを用いて照射データを生成する。ＬＥＤ制御ＡＳＩＣ７４は、単位画像データがメインＡＳＩＣ６２から出力される順に、単位画像データを単位照射データに変換し、複数の単位照射データを含む照射データを生成する。
【００３８】
ＬＥＤ制御ＡＳＩＣ７４は、配線パターン７６を介して各コネクタ７８に接続されている。照射データ（及び照射データを生成する前の画像データ）には、何れの色に関するデータであるかを示す色情報（照射体情報の一例）Ｚが含まれており、ＬＥＤ制御ＡＳＩＣ７４は、この色情報Ｚに基づいて、各色に対応する照射データを対応するコネクタ７８に出力する。コネクタ７８に出力された照射データは、コネクタ７８に接続されるＦＦＣ４２を介してＬＥＤアレイ４４へ伝達される。すなわち、照射データ等に含まれる色情報Ｚは、伝達されるＬＥＤアレイ４４を示す情報でもある。ＬＥＤアレイ４４では、ＬＥＤ制御ＡＳＩＣ７４から伝達される単位照射データの順番に従って、接続部５４が設けられた側から逆側に向かって、ＬＥＤ素子５６を点灯させ、光を照射する。
【００３９】
３．画像データ送信処理
本実施形態のプリンタ１０では、接続部５４が右側に配置されたＬＥＤアレイ４４Ｙ、４４Ｃと、接続部５４が左側に配置されたＬＥＤアレイ４４Ｍ、４４Ｋが混在している。この場合、接続部５４全てが一定側に配置されている場合と異なり、ＬＥＤアレイ４４に含まれる複数のＬＥＤ素子５６が、プリンタ１０の左右方向の異なる側から点灯させ始めることが起こり得る。そのため、メインＡＳＩＣ６２はＲＡＭ６８から単位画像データを読み出す際に、画像データ（画像データから生成される照射データ）が伝達されるＬＥＤアレイ４４に応じて単位画像データを読み出す順番を逆にする送信処理を行う必要がある。
【００４０】
図５を用いて、画像データの送信処理におけるメインＡＳＩＣ６２の処理を説明する。この処理は、ユーザによってプリンタ１０の電源がオンされた後、メインＡＳＩＣ６２によって繰り返し実行される。図５は、メインＡＳＩＣ６２で実行される処理のフローチャートを示す。なお、以下の説明において、ＰＣ１００からＬＥＤアレイ４４Ｙ、４４Ｃに適した画像データ（つまり、ＬＥＤ素子５６をプリンタ１０の右側から点灯させ始めるための画像データ）が入力されているものとする。
【００４１】
画像データの送信処理において、メインＡＳＩＣ６２はＰＣ１００から画像データが受信されるのを待機しており（Ｓ２：ＮＯ）、印刷データが受信された場合に（Ｓ２：ＹＥＳ）、印刷データに含まれる画像データを圧縮し、この圧縮した画像データをＲＡＭ６８に一時的に記憶する（Ｓ４）。
【００４２】
次にメインＡＳＩＣ６２は、画像データに含まれる色情報Ｚを確認する（Ｓ６）。メインＡＳＩＣ６２は、色情報ＺがＹ／Ｃ色を示す場合（Ｓ６：ＮＯ）、ＲＡＭ６８に記憶された画像データをＲＡＭ６８に記憶したのと同じ順番に読み出し、ＰＣ１００から入力された画像データを左右反転させない（Ｓ８）。一方、色情報ＺがＭ／Ｋ色を示す場合（Ｓ６：ＹＥＳ）、ＲＡＭ６８に記憶された画像データをＲＡＭ６８に記憶したのと逆の順に読み出し、ＰＣ１００から入力された画像データを左右反転させる（Ｓ１０）。
【００４３】
次にメインＡＳＩＣ６２は、ＲＡＭ６８から読み出した圧縮データをＬＥＤ制御ＡＳＩＣ７４に送信する（Ｓ１２）。メインＡＳＩＣ６２は、全ての圧縮データがＬＥＤ制御ＡＳＩＣ７４に送信されるまで送信を継続し（Ｓ１４：ＮＯ）、全ての圧縮データがＬＥＤ制御ＡＳＩＣ７４に送信された場合に（Ｓ１４：ＹＥＳ）、処理を終了する。これによって、ＬＥＤアレイ４４に含まれる複数のＬＥＤ素子５６が、プリンタ１０の左右方向の異なる側から点灯させ始める場合であっても、Ｓ８、Ｓ１０のように読み出すことで、ＰＣ１００等から受け取った画像データをシート材に再現することができる。
【００４４】
４．本実施形態の効果
（１）本実施形態のプリンタ１０では、コネクタ７８をＬＥＤ制御基板４０の左右方向両側に配置する。これによって、全てのコネクタ７８をＬＥＤ制御基板４０の左右方向片側に配置する場合に比べて、ＬＥＤ制御基板４０におけるコネクタ７８間の距離を長くすることができ、ＬＥＤ制御基板４０におけるＬＥＤ制御ＡＳＩＣ７４とコネクタ７８の間の配線パターン７８を効率化して設定することができる。
【００４５】
（２）本実施形態のプリンタ１０では、接続部５４が右側に配置されたＬＥＤアレイ４４Ｙ、４４Ｃと、接続部５４が左側に配置されたＬＥＤアレイ４４Ｍ、４４Ｋが混在しており、ＬＥＤ制御基板４０では、それに対応させてコネクタ７８をＬＥＤ制御基板４０の左右方向両側に配置する。これによって、全てのコネクタ７８をＬＥＤ制御基板４０の左右方向片側に配置する場合に比べて、コネクタ７８とＬＥＤアレイ４４の間を接続するＦＦＣ４２の長さを短くすることができる。これにより、ＦＦＣ４２が長くなることでの問題、例えばＦＦＣを介して伝達される画像データにノイズが生じる等の問題の発生を抑制することができる。
【００４６】
（３）本実施形態のプリンタ１０では、接続部が右側に配置されたＬＥＤアレイ４４Ｙ、４４Ｃと、接続部５４が左側に配置されたＬＥＤアレイ４４Ｍ、４４Ｋがプリンタ１０の前後方向に交互に配置されており、ＬＥＤ制御基板４０では、それに対応させて、プリンタ１０の前後方向に隣り合うコネクタ７８をＬＥＤ制御基板４０の左右方向逆側に配置する。これによって、プリンタ１０の前後方向に隣り合うコネクタ７８をＬＥＤ制御基板４０の左右方向同側に配置する場合に比べて、ＬＥＤ制御基板４０におけるコネクタ７８間の距離を長くすることができ、各コネクタ７８に出力される照射データ同士の干渉が抑制される。
【００４７】
（４）ＬＥＤ制御基板４０では、ＬＥＤ制御ＡＳＩＣ７４から各コネクタ７８に出力される照射データの信号レベルの大小関係が等しく維持されるように、ＬＥＤ制御基板４０におけるコネクタ７８とＬＥＤ制御ＡＳＩＣ７４との間の配線パターン７６の配線距離（つまり、配線抵抗）が等しく設定される必要がある。そのため、コネクタ７８とＬＥＤ制御ＡＳＩＣ７４との間の物理的距離Ｄが等しくない場合、ＬＥＤ制御ＡＳＩＣ７４との間の物理的距離Ｄが最も長いコネクタ７８を基準に、コネクタ７８とＬＥＤ制御ＡＳＩＣ７４との間の配線パターン７６の配線距離が設定される。そのため、ＬＥＤ制御ＡＳＩＣ７４との間の物理的距離Ｄが最も長いコネクタ７８以外のコネクタ７８では、コネクタ７８とＬＥＤ制御ＡＳＩＣ７４との間の物理的距離Ｄに比べて、コネクタ７８とＬＥＤ制御ＡＳＩＣ７４との間の配線パターン７６の配線距離を長くする必要があり、配線距離が長くなることでの問題、例えばコネクタ７８に出力される照射データにノイズが生じる等の問題が生じてしまう。
【００４８】
本実施形態のプリンタ１０では、ＬＥＤ制御基板４０におけるコネクタ７８とＬＥＤ制御ＡＳＩＣ７４との間の物理的距離Ｄが全て等しくなるように配置されているので、コネクタ７８とＬＥＤ制御ＡＳＩＣ７４との間の物理的距離Ｄに比べて、コネクタ７８とＬＥＤ制御ＡＳＩＣ７４との間の配線パターン７６の配線距離を長くする必要がなく、配線距離が長くなることによる上記の問題の発生を抑制することができる。
【００４９】
（５）本実施形態のプリンタ１０では、ＬＥＤ制御基板４０の前後方向及び左右方向の中央部にＬＥＤ制御ＡＳＩＣ７４が配置されているので、ＬＥＤ制御基板４０の左右方向両側に配置されているコネクタ７８とＬＥＤ制御ＡＳＩＣ７４との間の距離を等しく配置しやすい。
【００５０】
（６）本実施形態のプリンタ１０では、メインＡＳＩＣ６２において、接続部５４が右側に配置されたＬＥＤアレイ４４Ｙ、４４Ｃと、接続部５４が左側に配置されたＬＥＤアレイ４４Ｍ、４４Ｋとで、画像データに含まれる単画像データの順番を逆にする。これによって、接続部５４が何れの側に配置されているかに関わらず、プリンタ１０に対してＬＥＤアレイ４４に含まれる複数のＬＥＤ素子５６の照射の向きを揃えることができ、ＰＣ１００等、外部から入力された画像データに基づいた画像を、シート材等に形成することができる。
【００５１】
（７）本実施形態のプリンタ１０では、メインＡＳＩＣ６２は画像データに含まれる色情報Ｚを用いて画像データに含まれる単画像データの順番を逆にする。これによって、接続部５４が右側に配置されたＬＥＤアレイ４４を用いてシート材に形成される画像のプリンタ１０の左右方向における向きと、接続部５４が左側に配置されたＬＥＤアレイ４４を用いてシート材に形成される画像のプリンタ１０の左右方向における向きと、を揃えることができ、ＰＣ１００等から受け取った画像データをシート材に再現することができる。
【００５２】
＜他の実施形態＞
本発明は上記記述及び図面によって説明した実施形態に限定されるものではなく、例えば次のような種々の態様も本発明の技術的範囲に含まれる。
（１）上記実施形態のプリンタ１０は、プリンタ機能を備えていれば、スキャナ機能、コピー機能、ファクシミリ機能などを備えた多機能画像形成装置であってもよい。
【００５３】
（２）上記実施形態では、ＬＥＤ制御基板４０がプリンタ１０の前後方向及び左右方向に平行に配置されている例を用いて説明を行ったが、本発明はこれに限られない。例えば、図６に示すように、ＬＥＤ制御基板４０がプリンタ１０の左右方向に平行であるとともに、前後方向に垂直に配置されていても良い。この場合でも、コネクタ７８をＬＥＤ制御基板４０の左右方向両側に配置することで、ＬＥＤ制御基板４０における配線パターン７６を効率化して設定することができ、また、ＬＥＤアレイ４４に対応させてコネクタ７８をＬＥＤ制御基板４０の左右方向両側に配置することで、ＦＦＣ４２の長さを短くすることができる。
【００５４】
（３）上記実施形態では、コネクタ７８Ｙ、７８ＣがＬＥＤ制御基板４０の右側に配置されており、コネクタ７８Ｍ、７８ＫがＬＥＤ制御基板４０の左側に配置されている例を用いて説明を行ったが、本発明はこれに限られない。いずれか１つのコネクタ７８が他のコネクタ７８に対してＬＥＤ制御基板４０の左右方向逆側に配置されていることでも、ＬＥＤ制御基板４０における配線パターン７６を効率化して設定することができる。
【００５５】
（４）また上記実施形態では、接続部５４が右側に配置されたＬＥＤアレイ４４Ｙ、４４Ｃと、接続部５４が左側に配置されたＬＥＤアレイ４４Ｍ、４４Ｋとが、プリンタ１０の前後方向に交互に配置されている例を用いて説明を行ったが、本発明はこれに限られない。いずれか１つのＬＥＤアレイ４４が他のＬＥＤアレイ４４に対して、接続部５４が逆側に配置されている場合でも、それに対応したコネクタ７８が他のコネクタ７８に対してＬＥＤ制御基板４０の左右方向逆側に配置されていることで、ＦＦＣ４２の長さを短くすることができる。
【００５６】
（５）上記実施形態では、ＬＥＤ制御ＡＳＩＣ７４がＬＥＤ制御基板４０の前後方向及び左右方向の中央に配置されている例を用いて説明を行ったが、本発明はこれに限られない。また上記実施形態では、４色の画像を形成するプリンタ１０の例を用いて説明を行ったが、形成される画像の数が複数であり、ＬＥＤ制御基板４０に各色のＬＥＤアレイ４４に対応する複数のコネクタ７８が設けられていれば、形成される画像の数はこれに限定されない。
【００５７】
（６）上記実施形態では、接続部５４が右側に配置されたＬＥＤアレイ４４を用いてシート材に形成される画像のプリンタ１０の左右方向における向きと、接続部５４が左側に配置されたＬＥＤアレイ４４を用いてシート材に形成される画像のプリンタ１０の左右方向における向きと、を揃える際に、メインＡＳＩＣ６２において画像データに含まれる単画像データの順番を逆にする例を用いて説明を行ったが、本発明はこれに限られない。例えば、ＬＥＤ制御ＡＳＩＣ７４で照射データを生成する際に、ＬＥＤ制御ＡＳＩＣ７４において単照射データの順番を逆にしても良い。
【００５８】
（７）また、ＬＥＤアレイ４４自体で照射向きを変えてもよい。例えば、接続部５４が右側に配置されたＬＥＤアレイ４４では、ＬＥＤ素子５６を接続部５４側から点灯させ、接続部５４が左側に配置されたＬＥＤアレイ４４では、ＬＥＤ素子５６を接続部５４と逆側から点灯させることで、プリンタ１０に対するＬＥＤ素子５６の照射向きを揃えても良い。
【００５９】
（８）上記実施形態では、ＬＥＤ制御ＡＳＩＣ７４がメインＡＳＩＣ６２から出力される画像データを用いて照射データを生成する例を用いて説明を行ったが、本発明はこれに限られない。例えば、プリンタ１０にＵＳＢ接続部が設けられており、ＬＥＤ制御ＡＳＩＣ７４がＵＳＢ接続部に接続されていても良い。ＬＥＤ制御ＡＳＩＣ７４は、ＵＳＢ接続部にＵＳＢが接続されると、ＵＳＢから直接画像データを入手し、入手した画像データを用いて照射データを生成する。この場合、メインＡＳＩＣ６２において画像データに含まれる単画像データの順番を逆にすることができないので、接続部５４が右側に配置されたＬＥＤアレイ４４を用いてシート材に形成される画像のプリンタ１０の左右方向における向きと、接続部５４が左側に配置されたＬＥＤアレイ４４を用いてシート材に形成される画像のプリンタ１０の左右方向における向きと、を揃える際には、ＬＥＤ制御ＡＳＩＣ７４、あるいはＬＥＤアレイ４４自体で単照射データの順番を逆にする必要がある。なお、画像データを格納可能な外部記憶装置であれば、ＵＳＢメモリに限られず、外部記憶装置を接続可能な接続部であれば、ＵＳＢ接続部に限られない。
【００６０】
（９）上記実施形態では、ＬＥＤアレイ４４が感光ドラム４６に光を照射する例を用いて説明を行ったが、本発明はこれに限られない。例えば、シート材自体に感光性のトナーが付着しているような場合、ＬＥＤアレイ４４はシート材に光を照射しても良い。光を照射されたシート材は、例えば光が照射された部分のトナーのみが硬化し、その後の処理において光が照射されなかった部分のトナーが剥離されることで、画像が形成される。
【符号の説明】
【００６１】
１０：プリンタ、４０：ＬＥＤ制御基板、４２：ＦＦＣ、４４：ＬＥＤアレイ、４６：感光ドラム、５４：接続部、５６：ＬＥＤ素子、６０：メイン基板、６２：メインＡＳＩＣ、７４：ＬＥＤ制御ＡＳＩＣ、７６：配線パターン、７８：コネクタ
【図１】
0005771959.tif 000002
【図２】
0005771959.tif 000003
【図３】
0005771959.tif 000004
【図４】
0005771959.tif 000005
【図５】
0005771959.tif 000006
【図６】
0005771959.tif 000007